(57)【要約】【課題】外筒部３に対して内筒部４を相対回転させ、受皿５を上下方向に移動させる繰り出し容器において、使用中の受け皿５が容器内に後戻りできない抵抗を、強すぎず、弱すぎない適度な強さに保つようにする。【解決手段】  突部６と係合部７との係脱を互いの相対的な弾性変形によりおこなうようにした。【選択図】図１
2008012265.tif 000002
【特許請求の範囲】
【請求項１】
キャップとキャップの装着部（３ｂ）を設けた外筒部（３）とから成る容器本体（１）の外筒部（３）内周面に螺旋溝（３ａ）を設け、上部に収納部（４ａ）、下部に上下方向にガイド孔（４ｂ）を有した内筒部（４）を外筒部（３）に相対回転可能に収容し、この内筒部（４）内に、ガイド孔（４ｂ）を貫通し外筒部（３）の螺旋溝（３ａ）に係合する主導突起（５ａ）を設けた受皿（５）を収容し、外筒部（３）に対して内筒部（４）を相対回転させることにより受皿（５）が内筒部（４）内を螺旋溝（３ａ）に沿って上下方向に移動可能とした繰り出し容器において、内筒部（４）の内周に突部（６）を形成し、この突部（６）に対して上下方向に順次係脱可能な係合部（７）を受皿（５）の外周に形成し、この突部（６）と係合部（７）との係脱を互いの相対的な弾性変形により可能にしたことを特徴とする繰り出し容器。
【請求項２】
内周面に螺旋溝（３ａ）を設けた外筒部（３）内に、上下方向にガイド孔（４ｂ）を有した内筒部（４）を相対回転可能に収容し、この内筒部（４）内に、ガイド孔（４ｂ）を貫通し容器本体（１）の螺旋溝（３ａ）に係合する主導突起（５ａ）を設けた受皿（５）を収容し、外筒部（３）に対して内筒部（４）を相対回転させることにより受皿（５）が内筒部（４）内を螺旋溝（３ａ）に沿って上下方向に移動可能とした繰り出し容器において、内筒部（４）の内周に突部（６）を形成し、この突部（６）に対して上下方向に順次係脱可能な係合部（７）を受皿（５）の外周に形成し、この突部（６）と係合部（７）との係脱を互いの相対的な弾性変形により可能にしたことを特徴とする繰り出し容器。
【請求項３】
突部（６）と係合部（７）との相対的な弾性変形を、突部（６）又は係合部（７）の先端面側に設けた撓み空間により可能にした請求項１、２記載の繰り出し容器。
【請求項４】
突部（６）又は係合部（７）を、上下方向波状に形成したことを特徴とする請求項１、２記載の繰り出し容器。
【発明の詳細な説明】
【技術分野】
【０００１】  本発明は、主に口紅、リップクリーム、スティックアイシャドー、スティックファンデーション等適量を露出させることができる棒状化粧料を収容する繰り出し容器に関するものである。このような繰り出し容器に収容される内容物、即ち、被繰り出し物としては、口紅やリップクリームのように比較的柔らかいスティック状に形成されたものが代表的であるが、その他に、ファンデーション、アイシャドー、頬紅、クリーム（下地、美白、クレンジングなど）等の仕上げ又は皮膚用化粧品類、整髪料、染毛料、ヘアトリートメント等の頭髪用化粧品類、日やけ止め又は日やけ用等の特殊用途化粧品類、スティック糊等の事務用品類、靴下止め、カー用品としての曇り止めや傷補修材、しみ取り、靴墨等の雑貨類など種々の用途のものがある。
【背景技術】
【０００２】  この種の繰り出し容器は、図１に示すように、外筒部３に対して内筒部４を相対回転させることにより受皿５が内筒部４内を螺旋溝３ａに沿って上下方向に移動可能としている。図２（ａ）は、螺旋溝３ａの位置が容器本体１の下部に設けられ、図２（ｂ）では、螺旋溝３ａの位置が容器本体１の上部に設けられている。（特許文献１）また、螺旋溝３ａをネジに置き換え、駆動手段としている容器がある。（特許文献２、３）【０００３】
【特許文献１】特開２００５−１６０７１５号公報
【特許文献２】特開２００５−３４６４１号公報
【特許文献３】特開２００４−２０１９０７号公報
【発明の開示】
【発明が解決しようとする課題】  上記のように、繰り出し容器は、携帯性に優れていることから幅広く使用されている。また、近年では棒状化粧料として従来に比べて軟らかい化粧料や細い化粧料が用いられるなど多様化がすすんでいる。従来製品に比べ軟らかい棒状化粧料や細い棒状化粧料では、使用中の折れや変形、保管や運搬等においても不良が多発する可能性が大きい。【０００４】  螺旋溝３ａの位置が容器本体１の上部に設けられている容器の場合には、容器先端部と塗布面化粧料との距離があるために、また、使用中の化粧料が容器内に後戻りする現象から長めに出す傾向がある。この方式の容器は、すばやく繰り出せるのが特徴である。【０００５】  螺旋溝３ａの位置が容器本体１の下部に設けられている容器の場合には、比較的細い化粧料を充填する場合が多いために、螺旋のピッチが小さく、操作に手間取るが、容器先端部と化粧料の塗布面との距離が無いために塗布しやすい特徴がある。【０００６】  使用中の折れや変形の原因としては、長く繰り出すことが考えられる。保管や運搬等による折れの原因としては、せん断衝撃による変形からチキソトロピー現象による、受皿５の内と外との化粧料の境界部分の折れ易さが発生すると考えられる。境界部分以外での折れの発生は、容器の構造に起因しない問題である。【０００７】  そこで、この発明は、使用中の折れや変形を防止し、また、せん断衝撃を和らげ、使用中の受け皿５が容器内に後戻りできない抵抗を、強すぎず、弱すぎない適度な強さに保つことができる構造の繰り出し容器を得ようとするものである。
【課題を解決するための手段】
【０００８】
【０００９】この発明は、上記の課題を解決するために、キャップとキャップの装着部３ｂを設けた外筒部３とから成る容器本体１の外筒部３内周面に螺旋溝３ａを設け、上部に収納部４ａ、下部に上下方向にガイド孔４ｂを有した内筒部４を外筒部３に相対回転可能に収容し、この内筒部４内に、ガイド孔４ｂを貫通し外筒部３の螺旋溝３ａに係合する主導突起５ａを設けた受皿５を収容し、外筒部３に対して内筒部４を相対回転させることにより受皿５が内筒部４内を螺旋溝３ａに沿って上下方向に移動可能とした繰り出し容器において、内筒部４の内周に突部６を形成し、この突部６に対して上下方向に係脱可能な係合部７を受皿５の外周に形成し、この突部６と係合部７との係脱を互いの相対的な弾性変形により可能にしたのである。【００１０】  このように、突部６と係合部７との係脱を、互いの相対的な弾性変形により可能にすることにより、操作の際の抵抗が、強すぎず、また弱すぎない適度な強さを保つことができる。【００１１】  上記係合部７に対する突部６との相対的な弾性変形は、突部６又は係合部７の先端面側に、撓み空間を設けることで可能である。【００１２】  さらに、突部６又は係合部７を、上下方向波状に形成することで、せん断衝撃を和らげことができる。
【発明の効果】
【００１３】  上記のように、この発明は、使用中の化粧料の折れや変形を防止し、使用中の化粧料の容器内への後戻りを解消し、保管、運搬等においてもより効果的にせん断衝撃を和らげことができる。
【発明を実施するための最良の形態】
【００１４】
【００１５】  図１、図２は、この発明に係る繰り出し容器の一形態を示している。なお、符号は、共通する部材は共通の符号を付している。【００１６】  この発明に係る繰り出し容器は、図１に示すように、外筒部３に対して内筒部４を相対回転させることにより受皿５が内筒部４内を螺旋溝３ａに沿って上下方向に移動し使用することができる。【００１７】  図２（ａ）は、螺旋溝３ａの位置が容器本体１の下部に設けられている容器を示している。この容器は、比較的細い化粧料を充填する場合が多いために、螺旋のピッチが小さく、操作に手間取るが、容器先端部と化粧料の塗布面との距離が無いために使用しやすい特徴がある。【００１８】  図２（ｂ）は、螺旋溝３ａの位置が容器本体１の上部に設けられている容器を示している。この容器は、容器先端部と化粧料の塗布面との距離があるため、長めに繰り出して使用する。また、螺旋溝３ａのピッチが大きいために、使用中に化粧料が容器内に後戻りする傾向があるが、この方式の容器は、すばやく繰り出せるのが特徴である。使用中の化粧料の容器内への後戻りを防止するために、最上部には、第１横孔４ｃが設けられ収容している。また、収納時の不要な移動を防止するために、最下部に、第２横孔４ｄを設け収容している。【００１９】  図３は、螺旋溝３ａのピッチの比較を示す図である。（ａ）の場合、２回４分の１回転で繰り出しが完了す。（ｂ）の場合、５回４分の１回転の操作が必要になる。【００２０】  図４は、この発明の一実施形態を示す図で、（ａ）は、外筒部３の側面図、（ｂ）は、内筒部４を示す縦断面図、（ｃ）は、皿５を示す側面図である。【００２１】  図４（ａ）外筒部３の内周面には大きなピッチの螺旋溝３ａが形成されている。図４（ｂ）内筒部４は、外筒部３に相対回転可能に収容し、内周には突部６が形成され、下部にはガイド孔４ｂが設けられ、上部には、化粧料を保護する収納部４ａが設けられている。図４（ｃ）受皿５下部には主導突起５ａが設けられ、主導突起５ａは、内筒部４のガイド孔４ｂを貫通し外筒部３の螺旋溝３ａに係合する。また、主導突起５ａのやや上方側面に、内筒部４、突部６に係合する係合部７が設けられている。【００２２】  図５は、内筒部４に設けられた突部６の形状変化を示す縦断面図で、突部６は、形状の変化を表現するために実線で表してある。（ａ）は、受皿５を収容する前の図である。（ｂ）は、受皿５を最下部に収容した場合の形状変化を示す図である。（ｃ）は、受皿５を使用中の位置に移動した場合の形状変化を示す図である。【００２３】  この実施例では、突部６を波上に形成してある。波状に形成された突部６は、受皿５を収容した場合（ｂ）、（ｃ）には縦長に変形し、受皿５外周面を両側から挟み込むように保持し、せん断衝撃を和らげる。受皿５が最下部に位置した（ｂ）では、受皿５に設けられた係合部７は、波状に形成された突部６の谷間に位置し、係合部７は、前方の山部の抵抗により移動が制限さる。次に、使用中の受皿５の位置（ｃ）では、受皿５に設けられた係合部７は、波状に形成された突部６の谷間に位置し、係合部７は後方の山部の抵抗により容器内への後戻りが制限される。この実施例では、突部６を波状に形成することにより、山部を乗り越える操作の際の抵抗が、強すぎず、また弱すぎない適度な強さを保つことができる。【００２４】  図６は、他の実施例を示す斜視図で、（ａ）は受皿５を示す斜視図である。（ｂ）は内筒部４を示す斜視図である。【００２５】  この実施例、図６（ａ）の受皿５は、外周下部に主動突起（５ａ）が設けられ、主動突起（５ａ）のやや上部９０度側面の位置には波状の係合部７が形成されている。図６（ｂ）内筒部４の下部には上下方向にガイド孔４ｂが設けられ、中間部には突部６が形成されている。突部６の先端面側には、撓み空間１０が設けられている。この実施例のように、波状の係合部７のピッチを小さくすると少量の出し入れ操作にも、使用中の化粧料の容器内への後戻りを防ぐことができる。
【図面の簡単な説明】
【００２６】
【図１】この発明に係る繰り出し容器の一例を示す斜視図である。
【図２】（ａ）は、螺旋溝３ａの位置が容器本体１の下部に設けられている容器を示している。（ｂ）は、螺旋溝３ａの位置が容器本体１の上部に設けられている容器を示している。
【図３】螺旋溝３ａのピッチの比較を示す図である。
【図４】この発明の一実施形態を示す図で、（ａ）は、外筒部３を示す側面図、（ｂ）は、内筒部４を示す断面図、（ｃ）は、受皿５を示す側面図である。
【図５】内筒部４に設けられた突部６の形状変化を示す縦断面図で、突部６は、形状の変化を表現するために実線で表してある。（ａ）は、受皿５を収容する前の図である。（ｂ）は、最下部に受皿５を収容した図である。（ｃ）は、使用途中の受皿５の位置を表す図である。
【図６】他の実施例を示す斜視図で、（ａ）は受皿５を示す斜視図である。（ｂ）は内筒部４を示す斜視図である。
【符号の説明】
【００２７】１    容器本体
３    外筒部
３ａ  螺旋溝
３ｂ  装着部
４    内筒部
４ａ  収納部
４ｂ  ガイド孔
４ｃ  第１横孔
４ｄ  第２横孔
５    受皿
５ａ  主導突起
６    突部
７    係合部
１０  撓み空間
【図１】
2008012265.tif 000003
【図２】
2008012265.tif 000004
【図３】
2008012265.tif 000005
【図４】
2008012265.tif 000006
【図５】
2008012265.tif 000007
【図６】
2008012265.tif 000008